(57)【要約】【課題】簡単な操作で天体の情報を表示することができる操作性に優れたカメラ１を提供する【解決手段】撮像部２２と、表示面２５Ａを有する表示部２５と、撮像画像から空の部分を検出する空検出部４１Ｄと、観察位置を設定する位置設定部４６と、天体の位置情報を記憶するデータベース部４８と、天体の位置情報をもとに観察位置から前記天体を観察するための観察情報を算出する情報算出部４１Ａと、天体の仮想画像を撮像画像の空の部分に重畳表示する制御を行う表示制御部４１Ｂと、を具備する。【選択図】図２
2014131315.tif 000002
【特許請求の範囲】
【請求項１】
被写体像を撮像し撮像画像を生成する撮像部と、
前記撮像画像を表示する表示面を有する表示部と、
前記撮像画像から、空の部分を検出する空検出部と、
観察位置を設定する位置設定部と、
天体の位置情報を記憶するデータベース部と、
前記天体の位置情報をもとに前記観察位置から前記天体を観察するための観察情報として前記天体の出没時刻を算出する情報算出部と、
前記天体の仮想画像を、前記撮像画像の前記空の部分に重畳表示する制御を行う表示制御部と、を具備することを特徴とする撮像装置。
【請求項２】
前記出没時刻を、前記観察位置から前記天体が撮像可能な補正出没時刻に補正する出没時刻補正部を、さらに具備し、
前記表示制御部が、前記補正出没時刻の前記天体の仮想画像を重畳表示する制御を行うことを特徴とする請求項１に記載の撮像装置。
【請求項３】
前記天体が太陽、または、太陽および月、であることを特徴とする請求項１または請求項２に記載の撮像装置。
【請求項４】
前記位置設定部が、グローバル・ポジショニング・システムを有し、前記グローバル・ポジショニング・システムが検出した位置を前記観察位置として設定することを特徴とする請求項１から請求項３のいずれか１項に記載の撮像装置。
【請求項５】
前記グローバル・ポジショニング・システムが高度を検出する高度検出部の機能を有し、
前記情報算出部が、前記グローバル・ポジショニング・システムが検出した高度をもとに、前記天体の出没方向を補正することを特徴とする請求項４に記載の撮像装置。
【請求項６】
前記データベース部が記憶する前記天体の位置情報が、特定の観察位置における前記天体の観察情報であり、
前記情報算出部が、前記特定の観察位置の緯度および経度と前記観察位置の緯度および経度との差に基づき、前記観察位置から前記天体を観察するための前記観察情報を算出することを特徴とする請求項１から請求項５のいずれか１項に記載の撮像装置。
【請求項７】
前記撮像部および前記表示部を有するボディと、着脱自在な天体ユニットに、少なくとも前記データベース部、前記情報算出部および前記表示制御部が収納されていることを特徴とする請求項１から請求項６のいずれか１項に記載の撮像装置。
【請求項８】
被写体像を撮像し撮像画像を生成する撮像部と、前記撮像画像を表示する表示面を有する表示部と、前記撮像画像から、空の部分を検出する空検出部と、観察位置を設定する位置設定部と、天体の位置情報を記憶するデータベース部と、を具備する撮像装置の情報算出部が、前記天体の位置情報をもとに前記観察位置から前記天体を観察するための観察情報として前記天体の出没時刻を算出する情報算出ステップと、
前記撮像装置の表示制御部が、前記天体の仮想画像を、前記撮像画像に前記空の部分に重畳表示する制御を行う表示制御ステップと、を具備することを特徴とする撮像方法。
【請求項９】
前記情報算出ステップの後に、前記撮像装置の出没時刻補正部が、前記出没時刻を、前記観察位置から前記天体が撮像可能な補正出没時刻に補正する出没時刻補正ステップを、さらに具備し、
前記表示制御ステップにおいて、前記表示制御部が、前記補正出没時刻の前記天体の仮想画像を重畳表示する制御を行うことを特徴とする請求項８に記載の撮像方法。
【発明の詳細な説明】
【技術分野】
【０００１】
本発明は、被写体を撮像する撮像装置および撮像方法に関し、特に風景写真等の撮影のために天体の観察情報を表示する撮像装置および撮像方法に関する。
【背景技術】
【０００２】
日の出時刻または日没時刻の前後の時間帯における風景は、日中すなわち太陽が高い位置にある時間帯の風景とは異なり、印象的であることから、カメラ等の撮像装置の被写体として人気がある。しかし例えば、日没風景は、特定時刻に特定方位を撮影する必要がある。しかし日没時刻および日没方位は毎日、変化し、かつ、撮影場所によっても変化する。このため、日没風景の撮影は使用者にとって容易ではないことがあった。そして月等の他の天体の出没についても同様であった。
【０００３】
特許第２５６９０９７号公報には、太陽の軌跡を撮像画像に重畳表示する撮像装置が開示されている。
【０００４】
また、特開２００８−１７２２３号公報には、星空の撮影を行うときに、ガイド画像を撮像画像に重畳表示する撮像装置が開示されている。
【０００５】
しかし前記公知の撮像装置は複雑な操作が必要なため、使用者にとって必要な情報を得ることが容易ではないことがあった。また前記公知の撮像装置は複雑な構成であり、風景写真等を撮影することが目的の使用者にとって操作性がよいとはいえなかった。
【先行技術文献】
【特許文献】
【０００６】
【特許文献１】特許第２５６９０９７号公報
【特許文献２】特開２００８−１７２２３号公報
【発明の概要】
【発明が解決しようとする課題】
【０００７】
本発明は、簡単な操作で天体の情報を表示することができる操作性に優れた撮像装置および撮像方法を提供することを目的とする。
【課題を解決するための手段】
【０００８】
本発明の実施の形態の撮像装置は、被写体像を撮像し撮像画像を生成する撮像部と、前記撮像画像を表示する表示面を有する表示部と、前記撮像画像から、空の部分を検出する空検出部と、観察位置を設定する位置設定部と、天体の位置情報を記憶するデータベース部と、前記天体の位置情報をもとに前記観察位置から前記天体を観察するための観察情報として前記天体の出没時刻を算出する情報算出部と、前記天体の仮想画像を、前記撮像画像の前記空の部分に重畳表示する制御を行う表示制御部と、を具備する。
また別の実施形態の撮像方法は、被写体像を撮像し撮像画像を生成する撮像部と、前記撮像画像を表示する表示面を有する表示部と、前記撮像画像から、空の部分を検出する空検出部と、観察位置を設定する位置設定部と、天体の位置情報を記憶するデータベース部と、を具備する撮像装置の情報算出部が、前記天体の位置情報をもとに前記観察位置から前記天体を観察するための観察情報として前記天体の出没時刻を算出する情報算出ステップと、前記撮像装置の表示制御部が、前記天体の仮想画像を、前記撮像画像に前記空の部分に重畳表示する制御を行う表示制御ステップと、を具備する。
【発明の効果】
【０００９】
本発明によれば、簡単な操作で天体の情報を表示することができる操作性に優れた撮像装置および撮像方法を提供することができる。
【図面の簡単な説明】
【００１０】
【図１】実施の形態のカメラの外観を示す概略図であり、図１（Ａ）は斜め前方から観察したときの斜視図であり、図１（Ｂ）は斜め後方から観察したときの斜視図である。
【図２】実施の形態のカメラの構成を示すブロック図である。
【図３】実施の形態のカメラの処理の流れを説明するためのフローチャートである。
【図４】実施の形態のカメラの操作状態（Ａ）および表示画面（Ｂ）の一例を示す説明図である。
【図５】実施の形態のカメラの表示画面の一例を示す説明図である。
【図６】実施の形態のカメラの操作状態（Ａ）および表示画面（Ｂ）の一例を示す説明図である。
【図７】実施の形態のカメラの表示画面の一例を示す説明図である。
【図８】実施の形態のカメラの操作状態の一例を示す説明図である。
【図９】実施の形態のカメラの表示画面の一例を示す説明図である。
【図１０】実施の形態のカメラの表示画面の一例を示す説明図である。
【発明を実施するための形態】
【００１１】
図１に示すように、本実施の形態の撮像装置であるカメラ１は、交換レンズ１０とボディ２０と天体ユニット４０とを有する。
【００１２】
本実施の形態の天体ユニット４０は、カメラ１のアクセサリであり、太陽および月の出没前後の時間帯の撮影のために必要な、太陽および月を観察するための観察情報を使用者に提供する。天体ユニット４０はボディ２０の上部のカメラコネクタ（例えば、ストロボを取り付けるホットシュー）２３に着脱自在であり、使用者は必要に応じて天体ユニット４０をボディ２０に取り付けて使用する。交換レンズ１０もボディ２０と着脱自在であり、使用者は目的に適した交換レンズ１０をボディ２０に取り付けて使用する。なお、カメラ１では、撮像画像等を表示する表示部２５の表示面２５Ａは、ボディ２０の背面（交換レンズ１０配設面と対向する面）に、交換レンズ１０の光軸に対して垂直に配置されている。使用者は表示面２５Ａに表示されたスルー画像を見ながらシャッターボタン２９Ａを押圧操作する。
【００１３】
次に、図１を用いて、カメラ１の構成について説明する。なお、カメラ１の交換レンズ１０とボディ２０とは汎用機器であるため、簡単に説明する。
【００１４】
交換レンズ１０は、レンズ１１と、焦点調整／ズーム機構部１２と、モータ１３と、レンズコントローラ１４と、レンズコネクタ１５と、を有する。レンズ１１は、撮像光学系を構成する複数のレンズからなる。焦点調整／ズーム機構部１２は、レンズコントローラ１４により制御されたモータ１３により駆動されて、焦点調整／ズーム動作を行う。レンズコネクタ１５は、ボディ２０のレンズマウント２８に取り付けるための部材であり、電気接続接点を有している。
【００１５】
ボディ２０は、システムコントローラ２１と、撮像部２２と、カメラコネクタ２３と、表示素子駆動部２４と、表示面２５Ａを有する表示部２５と、カードメモリ２６と、カメラ記憶部２７と、レンズマウント２８と、操作部材２９と、時計３０と、通信部３１と、を有する。撮像部２２はＣＣＤ等の撮像素子を有し、レンズ１１を介して被写体像を撮像した撮像画像を形成する。システムコントローラ２１は露光時間の制御を行うＡＥ制御部２１Ａと、焦点調整制御を行うＡＦ制御部２１Ｂと、撮像画像の処理を行う画像処理部２１Ｃとを有し、さらにカメラ１全体の制御を行う。
【００１６】
カメラコネクタ２３は、例えばホットシューであり、天体ユニット４０等のアクセサリをボディ２０に取り付けるための部材であり、電気接続接点を有している。表示部２５は、表示素子駆動部２４の駆動により、液晶または有機ＥＬ等によって構成された表示素子の表示面２５Ａに撮像画像等を表示する。カードメモリ２６は撮像画像等を記録するボディ２０に着脱可能なメディアである。カメラ記憶部２７は起動時にシステムコントローラ２１に転送される、システムコントローラ２１の動作に必要なプログラム等を記憶するフラッシュメモリである。レンズマウント２８は交換レンズ１０を取り付けるための部材であり、電気接続接点を有している。操作部材２９は、使用者が電源をＯＮ／ＯＦＦしたり、後述するモードを設定したり、カードメモリ２６に記憶する撮像画像を取得するタイミングを決定するシャッターボタン２９Ａ等である。時計３０は、日時、すなわち時刻および年月日の情報を生成する。通信部３１は、外部ネットワークまたは外部機器と接続し、撮像画像を含めたデータを送受信する。
【００１７】
そして、天体ユニット４０は、姿勢検出部４４と、位置設定部４６と、方位検出部４３と、高度検出部４２と、電波時計４７と、アクセサリ記憶部４９と、太陽および月の位置情報を記憶するデータベース部４８と、天体ユニット４０全体の制御を行うアクセサリコントローラ４１と、アクセサリコネクタ４５と、を有する。アクセサリコントローラ４１は観察情報を算出する情報算出部４１Ａと、表示面２５Ａに観察情報を表示する制御を行う表示制御部４１Ｂと、出没時刻を補正する出没時刻補正部４１Ｃと、撮像画像を解析し空の部分を検出する空検出部４１Ｄと、を有する。
【００１８】
なお、情報算出部４１Ａ、表示制御部４１Ｂおよび空検出部４１Ｄ等は、専用のハードウエアである必要はなく、アクセサリ記憶部４９に記憶されており起動時にアクセサリコントローラ４１に転送され実行される、プログラムであってもよいが、説明の都合上、構成要素として「部」と表現している。また、すでに説明したボディ２０の構成要素の一部も同様である。また、アクセサリコントローラ４１の機能として説明する表示制御部４１Ｂ等は、起動時にボディ２０のシステムコントローラ２１に転送され動作してもよい。
【００１９】
姿勢検出部４４は、３軸加速度センサ４４Ａと加速度センサ処理部４４Ｂとを有し、天体ユニット４０が取り付けられたボディ２０の姿勢、すなわち表示面２５Ａの姿勢を検出する。３軸加速度センサ４４Ａは、例えば、互いに直交する方向に配設された３個のＭＥＭＳ加速度センサからなり、可動電極と固定電極との間の静電容量変化により、重力加速度方向すなわち鉛直方向を検出する。なお、天体ユニット４０の機能との関連では、姿勢検出部４４は、表示面２５Ａが水平姿勢または鉛直姿勢のいずれであるかを検出できればよい。
【００２０】
位置設定部４６は、ＧＰＳ受信アンテナ４６Ａ、ＧＰＳ受信部４６ＢおよびＧＰＳデコーダ部４６Ｃからなるグローバル・ポジショニング・システム（ＧＰＳ）を有している。ＧＰＳは数個の衛星からの信号を受信することにより、地表上の位置（緯度、経度）を検出する。さらに、ＧＰＳにより位置設定部４６は、高度（標高）も検出可能である。位置設定部４６は、ＧＰＳが検出した地表位置を天体ユニット４０が提供する観察情報の観察位置として設定する。
【００２１】
方位検出部４３は、例えばＭＲセンサ等の地磁気センサ４３Ａと地磁気センサ処理部４３Ｂとを有し、地磁気の方向（磁極）を検出し磁気偏角補正を行うことにより、真北の方向を検出する。
【００２２】
電波時計４７は、標準電波受信アンテナ４７Ａと標準電波受信部４７Ｂと時計デコーダ４７Ｃとを有し、送信局からの日付・時刻情報のデジタル信号をもとに時計３０のキャリブレーションを行う。高度検出部４２は、圧力センサ４２Ａと圧力センサ処理部４２Ｂとを有し、観察地点の気圧および高度を検出する。すなわち、高度検出部４２は、既知の高度の地点におけるキャリブレーションにより移動後の地点の高度を検出する。
【００２３】
そして、データベース部４８は、特定の観測位置、例えば東京における、太陽および月の出没時刻、出没方位および補正係数を月日に対応した表データとして記憶している。なお、これらのデータは公表されており容易に入手可能であるが、天体の視半径、大気差、観測者の目の高さによる眼高差、太陽の地心視差等を考慮して、水平線からの高度が−０．９度のときを出没と定義している。
【００２４】
情報算出部４１Ａ、表示制御部４１Ｂ、出没時刻補正部４１Ｃ、および空検出部４１Ｄについては、後に説明する。なお、上述した構成要素のうち、データベース部４８、情報算出部４１Ａ、表示制御部４１Ｂおよび出没時刻補正部４１Ｃ、は天体ユニット４０の専用構成要素であるが、他の構成要素は撮像装置において別目的にも使用可能である。このため、天体ユニット４０には少なくともデータベース部４８、情報算出部４１Ａ、表示制御部４１Ｂ、および出没時刻補正部４１Ｃ、が収納されていればよい。なお上記専用構成要素はいずれもソフトウエアであるため、ボディ２０のＣＰＵ等に転送して動作可能である。また、天体ユニット４０には不図示の温度検出部等の他のセンサを有していてもよい。
【００２５】
次に、図３のフローチャートに従い、本実施の形態のカメラ１による、観察情報表示の処理の流れについて説明する。
＜ステップＳ１１＞システム初期設定
カメラ１のボディ２０に、交換レンズ１０および天体ユニット４０が取り付けられ、電源がＯＮされる。すると、カメラ記憶部２７およびアクセサリ記憶部４９に記憶されていたプログラムがシステムコントローラ２１またはアクセサリコントローラ４１に転送され、プログラムが起動する。そしてシステムの初期設定が行われる。
【００２６】
＜ステップＳ１２＞ライブビュー開始
カメラ１では、撮像部２２が生成した撮像画像は、表示部２５に表示されたり、カードメモリ２６に記録されたりする。システムコントローラ２１の制御により、撮像と表示とが連続的に行われることより、表示面２５Ａにはライブビュー画像すなわちスルー画像が表示される。使用者はスルー画像を見ながら構図を確認したり、カードメモリ２６に記録する撮像画像を取得するタイミングを決定したりする。
【００２７】
＜ステップＳ１３＞動作モード選択
カメラ１では、動作モードとして、通常撮影モードまたは再生モード等に加えて、天体モードが選択可能となっている。
【００２８】
例えば、通常撮影モードが選択された場合には、ステップＳ１４において通常の撮影動作サブルーチンが実行される。そして、天体モードが選択された場合には、ステップＳ１５からの動作が行われる。
【００２９】
＜ステップＳ１５、Ｓ１６＞アクセサリ検出
システムコントローラ２１は、アクセサリとして天体ユニット４０が取り付けられているかを検出する。取り付けられていた場合（Ｓ１６：Ｙｅｓ）にはＳ１７からの動作が行われるが、取り付けられていない場合（Ｓ１６：Ｎｏ）にはＳ１３からの動作が繰り返される。
【００３０】
＜ステップＳ１７＞天体選択
カメラ１では、天体として、太陽または月が選択可能である。すなわち、データベース部４８は、太陽および月の位置情報を記憶している。月が選択された場合には、Ｓ１８のサブルーチン処理において、月の出没情報が算出／表示されるが、後述する太陽の出没情報の算出／表示処理と類似しているので詳細は説明しない。また以下のサブルーチン処理も同様に詳細は説明しない。太陽が選択された場合には、Ｓ１９からの動作が行われる。
【００３１】
＜ステップＳ１９＞基本データ取得
太陽が選択されると、情報算出部４１Ａが、日の出および日の入りの観察情報を算出するための基本データが取得される。すなわち、位置設定部４６が観察位置を検出／設定し、時計３０または電波時計４７から日時が検出され、データベース部４８から、その日の例えば東京における太陽の出没方向、出没時間および補正係数のデータが情報算出部４１Ａに転送される。
【００３２】
＜ステップＳ２０＞日の出／日の入り判断
情報算出部４１Ａは、その時の時刻から、日の出または日の入りのいずれの観察情報を表示するか判断する。すなわち、東京の日の出時刻の前の時刻だった場合には、Ｓ２１のサブルーチン処理により日の出の観察情報を表示し、日の出時刻以降の時刻だった場合には、Ｓ２２からの処理により日没の観察情報を表示する。
【００３３】
＜ステップＳ２２＞日没時刻算出
情報算出部４１Ａは、データベース部４８から取得した、その日の東京（東経１３９．７度、北緯３５．７度）の日没時刻Ｔ０および補正係数Ａ、Ｂから、公知の方法により観測位置における日没時刻Ｔを算出する。例えば、観測位置が東経λ、北緯φだった場合には、この地点の日没時刻Ｔは以下の近似式から算出される。
【００３４】
Ｔ＝Ｔ０＋Ａ（１３９．７−λ）＋Ｂ（３５．７−φ）  
【００３５】
例えば、Ａは、３．９であり、Ｂは２．９である。つまり日没時刻は、東京から東に経度１度進むごとに３．９分早くなり、北に緯度１度進むごとに２．９分早くなる。
【００３６】
＜ステップＳ２３＞日没方位算出
情報算出部４１Ａは、日没時刻算出と同様に、データベース部４８から取得した、その日の東京の日没方位および補正係数から、公知の方法により観測位置における日没方位を算出する。
【００３７】
＜ステップＳ２４＞姿勢検出
姿勢検出部４４は、表示部２５の表示面２５Ａが、水平姿勢または鉛直姿勢のいずれであるかを検出する。
【００３８】
＜ステップＳ２５、Ｓ２６＞方位検出／日没方向表示
図４（Ａ）に示すように、使用者ＯＰが構えたカメラ１の表示面２５Ａの姿勢が、略水平、すなわち重力方向ＧＤに対して直交する水平方向ＨＤであった場合には、表示制御部４１Ｂは、図４（Ｂ）に示すように表示面２５Ａに日没方向を矢印２５Ｙによりグラフィック表示する。
【００３９】
上記表示形態により、使用者は日没方向を直感的に把握することができる。図４（Ｂ）に示した例では、使用者ＯＰが向いている方向、すなわち表示面２５Ａの上部方向は日没方向とは大きく異なる方向であることを矢印２５Ｙは示している。
【００４０】
なお、本発明において、表示面２５Ａが水平姿勢とは、使用者ＯＰが表示面２５Ａを上から見ることが容易な状態を意味し、水平面から所定角度の範囲内、例えば±３０度の範囲の状態である。同様に鉛直姿勢とは鉛直面から所定角度の範囲内、例えば±３０度の範囲の状態である。前記範囲であれば、使用者は表示面２５Ａの視認が容易である。
【００４１】
表示制御部４１Ｂは、日没方向を表示するために、図５（Ａ）に示すように、最初に表示面２５Ａにおける北の方向を示す仮想線２５Ｎを算出する。仮想線２５Ｎは、その時、方位検出部４３が検出した方位をもとに算出され、リアルタイムで表示に反映される。そして、図５（Ｂ）に示すように、情報算出部４１Ａが算出した日没方位を示す方位角θＡをもとに、矢印２５Ｙが表示される。なお、この場合には方位角θＡは北を０度とし、西を９０度としている。
【００４２】
なお、日没方向を表示しているときには、スルー画像は表示しないことが好ましい。表示面が水平状態の場合、スルー画像は使用者の足下の地面の画像であり、使用者の方位表示視認の妨げになるからである。もちろん、足元を撮影したいニーズもあるので、この場合に対応して、レリーズスイッチなど操作部材２９の操作によって、日没方向を表示するのを解除したり、日没方向の表示を半透明にしてスルー画像と重畳表示したりするように制御してもよい。
【００４３】
＜ステップＳ２７＞日没時刻表示
Ｓ２５の表示により日没方向を知った使用者が観察方向を変えて構えたカメラ１の表示面２５Ａの姿勢が、図６（Ａ）に示すように略鉛直、すなわち略重力方向ＧＤであった場合には、表示制御部４１Ｂはシステムコントローラとの共同動作により、図６（Ｂ）に示すように表示面２５Ａに補正日没時刻ＴＲ（２５Ｔ）、日没方位線ＳＤおよび補正日没時刻ＴＲにおける仮想太陽像２５Ｓを、ライブビュー画像に重畳表示する。なお、月の場合には月齢に応じた形状の仮想画像を用いてもよい。
【００４４】
前記表示形態により、使用者は撮影に適した時刻を数字として正確に確認することができるとともに、そのときに撮像可能な風景も確認することができる。
【００４５】
ここで、補正日没時刻ＴＲとは、情報算出部４１Ａが算出した日没時刻Ｔを、出没時刻補正部４１Ｃが補正した時刻である。すなわち、日没時刻Ｔは太陽の場合には太陽の上辺の高度角θＥが略０度（−０．９度）となる時刻であり、月の場合には月の中心の高度角θＥが略０度となる時刻である。しかし風景写真撮影を目的としている使用者にとって、太陽が完全に水平線下にまで没する時刻よりも、例えばその数分前の時刻においての撮影を希望することが多い。
【００４６】
このため、カメラ１では出没時刻補正部４１Ｃが日没時刻Ｔを、観察位置から、少なくとも太陽の全体像が撮像可能な補正日没時刻ＴＲに補正する。このとき、出没時刻補正部４１Ｃは、撮像画像の画角ω、すなわち交換レンズ１０の焦点距離Ｆに応じた補正を行う。すなわち、図７（Ａ）に示すように、交換レンズ１０が撮像画像の画角ωが大きい広角レンズの場合には、図６（Ｂ）に示した標準レンズの場合よりも早い時刻に補正し、図７（Ｂ）に示すように、交換レンズ１０が撮像画像の画角ωが小さい望遠レンズの場合には標準レンズの場合よりも遅い時刻に補正する。
【００４７】
出没時刻補正部４１Ｃが行う補正の程度、すなわち時刻の長短または仮想画像の移動量は、使用者が設定可能であるが、例えば、画角ωを基準とした場合には、画角ωの５〜６０％の範囲が好ましい。前記範囲内であれば、使用者が望む自然な仮想風景となる。
【００４８】
さらに、カメラ１は、空検出部４１Ｄを有するために、より撮影に適した観察情報を提示することもできる。すなわち、山間部または都市部においては、山または建物等の地表の被写体に遮られるために、太陽が撮像対象として空に現れている時刻は水平線を基準とした時刻とは異なる。カメラ１では、空検出部４１Ｄが検出した観測位置からの山の見かけの高さにより、仮想太陽像２５Ｓを、ライブビュー画像に重畳表示する位置、すなわち、出没時刻補正部４１Ｃが算出する補正日没時刻ＴＲを変化する。
【００４９】
例えば、図８に示すように、山Ｍが日没方向にある場合には、図９（Ａ）に示すように、空検出部４１Ｄは、（１）撮像画像の日没方位線ＳＤの上部にコントラストの低いローコントラスト部があるか判断する。さらに（２）ローコントラスト部の下部に明暗の境界があるかを判断する。（３）明暗の境界があった場合には、画角ωの画像の中心から、例えば１／ｎの位置に、水平線に平行な空境界線を算出する。すると、この時の仰角θＸは次式から算出される。
【００５０】
θＸ＝（１／ｎ）×ω
【００５１】
カメラ１では、水平線ＨＬを基準に算出した補正日没時刻ＴＲを、出没時刻補正部４１Ｃが、仰角θＸに応じて、さらに補正する。このため、カメラ１は、山間部等においてもより撮影に適した観察情報を提示することができる。
【００５２】
＜ステップＳ２８＞動作モード確認
カメラ１は、動作モードが変更されていない場合は、Ｓ２４からの処理を繰り返す。これに対して動作モードが変更された場合はＳ１３からの処理により、選択された動作モードの処理を行う。
【００５３】
以上の説明のように、カメラ１は、簡単な操作で、目標天体である太陽および月の出没に関する情報を簡単な操作で表示することができる操作性に優れた撮像装置である。
【００５４】
なお、天体の出没時刻等は、観察場所の高度（標高）によっても変化する。カメラ１では、高度検出部４２または位置設定部４６により、観察場所の高度を検出できるために、情報算出部４１Ａは、高度に応じた補正を公知の方法により行うことができる。
【００５５】
また、上記説明では、表示部２５がボディ２０の背面に固定されている場合を例に説明したが、ボディ２０に対して回転可能な表示部であってもよい。この場合には、回転部に配設されたセンサが、表示面が水平姿勢または鉛直姿勢のいずれであるかを検出する姿勢検出部となる。
【００５６】
また、上記説明では情報算出部４１Ａによる太陽の出没時間等の算出方法としてシステムの負荷が小さく短時間で処理可能な方法について説明した。しかし使用者の希望に応じて例えばオプション機能として、より精度の高い公知の算出方法を用いることも可能である。
【００５７】
例えば、太陽の場合には、天球座標系における位置は、黄道上を３６５．２５日で一周する。このため、最初に、記憶した表から、または赤道座標値を算出するための計算式から、月日に対応した赤道座標値（赤経α、赤緯β）を算出する。そして、赤道座標値（赤経α、赤緯β）と、観察地の経度λ、緯度φと時刻（地方恒星時）ＳＧとを用いることにより、例えば、以下の公知の式により、高度角Ｅと方位角Ａが算出される。高度角Ｅが０度となる条件を求めることにより、出没時間等が算出される。
【００５８】
高度角：ｓｉｎ（Ｅ）＝ｓｉｎ（φ）×ｓｉｎ（β）＋ｃｏｓ（φ）×ｃｏｓ（β）×ｃｏｓ（ＳＧ−α）
【００５９】
方位角：ｓｉｎ（Ａ）＝ｃｏｓ（β）×ｓｉｎ（ＳＧ−α）／ｃｏｓ（Ｅ）
【００６０】
また、出没時間等の算出基準となる特定の観察位置として東京を用いる場合について説明したが、データベース部４８に複数の都市または地点の情報を記憶しておき、観察位置から最も近い地点の情報を用いるようにしてもよい。さらに北米仕様、ヨーロッパ仕様、またはオーストラリア仕様のように使用者の主たる使用場所に応じた情報を用いてもよい。さらに通信部３１等を介して、使用予定の地点の情報を入手し使用してもよい。
【００６１】
また、天体ユニット４０は、位置設定部４６がＧＰＳにより検出した位置および時計３０が検出した日時にもとづいて処理を行うだけでなく、使用者が位置設定部４６を用いて、例えば都市名により選択した任意の地点における、任意の日時の観測情報を表示すること等もできる。例えば、図１０は、ある地点における毎月の初日の日没方向を表示している表示面２５Ａである。
【００６２】
さらに、天体として、太陽および月の情報を提供するカメラ１について説明したが、特に使用者からの要望の多い太陽の情報のみを提供するカメラであってもよい。また、撮像装置としては、交換レンズ１０を有するカメラ１に限られるものではなく、例えば、レンズ交換のできないコンパクトカメラ、カメラ付き携帯電話、またはスマートフォン等であってもよい。前記撮像装置は構成がより単純となる。さらに、天体ユニット４０の構成要素の全て、または一部を、ボディ２０内に設けた撮像装置であってもよい。
【００６３】
逆に、本発明のカメラは、天体として金星等の惑星、恒星、人工衛星、または彗星に関する観察情報を提供することも可能である。使用者は、これらの天体の情報を、例えば、通信部３１を介して入手することができる。
【００６４】
すなわち、本発明は上述した実施の形態に限定されるものではなく、本発明の要旨を変えない範囲において、種々の変更、改変等ができる。
【符号の説明】
【００６５】
１…カメラ、１０…交換レンズ、１１…レンズ、１２…焦点調整／ズーム機構部、１３…モータ、１４…レンズコントローラ、１５…レンズコネクタ、２０…ボディ、２１…システムコントローラ、２２…撮像部、２３…カメラコネクタ、２４…表示素子駆動部、２５…表示部、２５Ａ…表示面、２６…カードメモリ、２７…カメラ記憶部、２８…レンズマウント、２９…操作部材、３０…時計、３１…通信部、４０…天体ユニット、４１…アクセサリコントローラ、４１Ａ…情報算出部、４１Ｂ…表示制御部、４１Ｃ…出没時刻補正部、４１Ｄ…空検出部、４２…高度検出部、４３…方位検出部、４４…姿勢検出部、４５…アクセサリコネクタ、４６…位置設定部、４７…電波時計、４８…データベース部、４９…アクセサリ記憶部
【図１】
2014131315.tif 000003
【図２】
2014131315.tif 000004
【図３】
2014131315.tif 000005
【図４】
2014131315.tif 000006
【図５】
2014131315.tif 000007
【図６】
2014131315.tif 000008
【図７】
2014131315.tif 000009
【図８】
2014131315.tif 000010
【図９】
2014131315.tif 000011
【図１０】
2014131315.tif 000012